(57)【特許請求の範囲】
【請求項１】
顧客による入力操作が行われる入力部と、
前記入力部を少なくとも一方向から遮蔽するカバー部材と、
前記入力部に光を供給する光源と、
前記入力部への認証情報の入力操作時と、前記入力部への他の情報の入力操作時とで、前記入力部の照明状態を変化させる制御部と、
を備え、
前記制御部は、前記認証情報の入力操作時に、前記他の情報の入力操作時よりも、前記入力部が暗くなるように前記光源を制御する、自動取引装置。
【請求項２】
前記制御部は、前記認証情報の入力操作時には前記光源を点灯させず、前記他の情報の入力操作時に前記光源を点灯させる、請求項１に記載の自動取引装置。
【請求項３】
前記自動取引装置は、前記認証情報の入力操作時に、前記他の情報の入力操作時よりも弱い光量で前記光源を点灯させる、請求項１に記載の自動取引装置。
【請求項４】
前記光源は、複数の光源要素からなり、
前記自動取引装置は、前記認証情報の入力操作時に、前記他の情報の入力操作時よりも少ない光源要素を点灯させる、請求項３に記載の自動取引装置。
【請求項５】
前記カバー部材は、第１の側面、前記第１の側面と対向する第２の側面、および前記第１の側面と前記第２の側面の上部をつなぐ上面を備え、
前記光源は、前記第１の側面、前記第２の側面および前記上面により囲まれた領域内に光を供給する、請求項１〜４のいずれか一項に記載の自動取引装置。
【請求項６】
顧客による入力操作が行われる入力部と、
前記入力部を少なくとも一方向から遮蔽するカバー部材と、
前記入力部に光を供給する光源と、
前記入力部への認証情報の入力操作時と、前記入力部への他の情報の入力操作時とで、前記入力部の照明状態を変化させる制御部と、
を備え、
前記制御部は、前記認証情報の入力操作時に、前記他の情報の入力操作時よりも狭角に光が供給されるように前記光源を点灯させる、自動取引装置。
【発明の詳細な説明】
【技術分野】
【０００１】
本発明は、自動取引装置に関する。
【背景技術】
【０００２】
近日、銀行、駅構内、およびコンビニエンスストアなど、多様な場所に自動取引装置（ＡＴＭ：ａｕｔｏｍａｔｅｄ−ｔｅｌｌｅｒ  ｍａｃｈｉｎｅ）が設置されている。顧客は、この自動取引装置に表示される表示画面において各種操作を行うことにより、入金、出金および残高照会などの取引を行うことができる。
【０００３】
この自動取引装置には、一般的に、暗証番号を入力するためのキーパッドが設けられている。また、特許文献１には、キーパッドの第三者による覗き見を防止するための遮蔽カバーが設けられた自動取引装置が開示されている。また、遮蔽カバーによりキーパッド周辺が暗くなるので、操作性の観点から、キーパッドを照らす光源が設けられる場合もある。
【先行技術文献】
【特許文献】
【０００４】
【特許文献１】特開２００８−２８７６４６号公報
【発明の概要】
【発明が解決しようとする課題】
【０００５】
しかし、キーパッドを設けたことによる内部が暗くなるという弊害を解消するために光源を点灯させると、自動取引装置を操作する顧客がキーパッドを見やすくなると共に、周辺からもキーパッドの操作内容が見やすくなってしまう。このため、顧客がキーパッドに暗証番号のような認証情報を入力する際に、認証情報が第三者に知られてしまう恐れがあった。
【０００６】
そこで、本発明は、上記問題に鑑みてなされたものであり、本発明の目的とするところは、第三者への認証情報の流出を抑制することが可能な、新規かつ改良された自動取引装置を提供することにある。
【課題を解決するための手段】
【０００７】
上記課題を解決するために、本発明のある観点によれば、顧客による入力操作が行われる入力部と、前記入力部を少なくとも一方向から遮蔽するカバー部材と、前記入力部に光を供給する光源と、前記入力部への認証情報の入力操作時と、前記入力部への他の情報の入力操作時とで、前記入力部の照明状態を変化させる制御部と、を備え、前記制御部は、前記認証情報の入力操作時に、前記他の情報の入力操作時よりも、前記入力部が暗くなるように前記光源を制御する、自動取引装置が提供される。
【０００８】
前記制御部は、前記認証情報の入力操作時には前記光源を点灯させず、前記他の情報の入力操作時に前記光源を点灯させてもよい。
【０００９】
前記自動取引装置は、前記認証情報の入力操作時に、前記他の情報の入力操作時よりも弱い光量で前記光源を点灯させてもよい。
【００１０】
前記光源は、複数の光源要素からなり、前記自動取引装置は、前記認証情報の入力操作時に、前記他の情報の入力操作時よりも少ない光源要素を点灯させてもよい。
【００１１】
また、上記課題を解決するために、本発明の別の観点によれば、顧客による入力操作が行われる入力部と、前記入力部を少なくとも一方向から遮蔽するカバー部材と、前記入力部に光を供給する光源と、前記入力部への認証情報の入力操作時と、前記入力部への他の情報の入力操作時とで、前記入力部の照明状態を変化させる制御部と、を備え、前記制御部は、前記認証情報の入力操作時に、前記他の情報の入力操作時よりも狭角に光が供給されるように前記光源を点灯させる、自動取引装置が提供される。
【００１２】
前記カバー部材は、第１の側面、前記第１の側面と対向する第２の側面、および前記第１の側面と前記第２の側面の上部をつなぐ上面を備え、前記光源は、前記第１の側面、前記第２の側面および前記上面により囲まれた領域内に光を供給してもよい。
【発明の効果】
【００１３】
以上説明したように本発明によれば、第三者への認証情報の流出を抑制することが可能となる。
【図面の簡単な説明】
【００１４】
【図１】本実施形態による自動取引システムの構成を示した説明図である。
【図２】自動取引装置の外観構成を示した説明図である。
【図３】比較例による第１の点灯制御例を示したフローチャートである。
【図４】比較例による第２の点灯制御例を示したフローチャートである。
【図５】本実施形態による自動取引装置の構成を示した機能ブロック図である。
【図６】本実施形態による制御部の機能を示した説明図である。
【図７】特殊点灯の第１の例を示した説明図である。
【図８】特殊点灯の第２の例を示した説明図である。
【図９】特殊点灯の第３の例を示した説明図である。
【図１０】本実施形態による自動取引装置の第１の動作例を示したフローチャートである。
【図１１】本実施形態による自動取引装置の第２の動作例を示したフローチャートである。
【図１２】本実施形態による自動取引装置の第２の動作例を示したフローチャートである。
【発明を実施するための形態】
【００１５】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１６】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて自動取引装置２０Ａおよび２０Ｂのように区別する。ただし、実質的に同一の機能構成を有する複数の構成要素の各々を特に区別する必要がない場合、同一符号のみを付する。例えば、自動取引装置２０Ａおよび２０Ｂを特に区別する必要が無い場合には、単に自動取引装置２０と称する。
【００１７】
＜１．自動取引システムの構成＞
本発明は、一例として以下に説明するように、多様な形態で実施され得る。また、本発明の実施形態による自動取引装置２０は、
Ａ．顧客による入力操作が行われる入力部（キーパッド３２）と、
Ｂ．前記入力部を少なくとも一方向から遮蔽するカバー部材（遮蔽カバー３４）と、
Ｃ．前記入力部に光を供給する光源（ガイドライト３６）と、
Ｄ．前記入力部への認証情報の入力操作時と、前記入力部への他の情報の入力操作時とで、前記入力部の照明状態を変化させる点灯制御部（制御部２１０）と、
を備える。
【００１８】
以下では、まず、このような自動取引装置２０を含む自動取引システムの構成について図１を参照して説明する。
【００１９】
図１は、本実施形態による自動取引システムの構成を示した説明図である。図１に示したように、本実施形態による自動取引システムは、金融機関ホスト１０と、専用網１２と、自動取引装置２０と、を備える。
【００２０】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト１０と自動取引装置２０は、この専用網１２を介して通信することができる。
【００２１】
金融機関ホスト１０は、専用網１２を介して自動取引装置２０と通信することにより、各種取引を制御する。例えば、金融機関ホスト１０は、自動取引装置２０を操作する顧客の認証を行ったり、自動取引装置２０において顧客により指示された入金や振込などの金銭取引（勘定の取引処理）を実行したりする。また、金融機関ホスト１０は、口座番号、暗証番号、氏名、住所、年齢、生年月日、電話番号、職業、家族構成、年収、預金残高などの顧客情報（口座の元帳）を管理する。
【００２２】
自動取引装置２０は、金融機関の顧客による操作に基づいて金銭の取引を実行する顧客操作型端末である。この自動取引装置２０は、金融機関の支店、コンビニエンスストア、駅構内、ホテル、病院、アミューズメントパーク、飲食店、オフィスビルディングなどの多様な施設に設置される。以下、図２を参照し、自動取引装置２０の外観構成について説明する。
【００２３】
（自動取引装置の外観構成）
図２は、自動取引装置２０の外観構成を示した説明図である。図２に示したように、自動取引装置２０は、操作表示装置２２、カード挿入排出口２４、紙幣挿入排出口２６、レシート排出口２８および顧客入力装置３０を有する。
【００２４】
操作表示装置２２は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、本明細書においては表示部および顧客操作部の機能が自動取引装置２０において一体的に構成される例を説明するが、表示部および顧客操作部の機能は分離して構成されてもよい。
【００２５】
カード挿入排出口２４は、顧客のキャッシュカードの挿入および排出を行う。紙幣挿入排出口２６は、顧客による紙幣の挿入口、および顧客への紙幣の排出口としての機能を有する。レシート排出口２８は、顧客が行った取引の明細を示すレシートを排出する。
【００２６】
顧客入力装置３０は、顧客が暗証番号のような認証情報や取引金額などを入力するための構成である。具体的には、顧客入力装置３０は、キーパッド３２と、遮蔽カバー３４と、ガイドライト３６と、を備える。
【００２７】
遮蔽カバー３４は、キーパッド３２を少なくとも一方向から遮蔽するカバー部材である。この遮蔽カバー３４は、キーパッド３２の第三者による覗き見を防止するために設けられる。例えば、遮蔽カバー３４は、図２に示したように、第１の側面３４ａ、第１の側面３４ａと対向する第２の側面３４ｂ、および上面３４ｃを備える。このため、遮蔽カバー３４により囲まれる、キーパッド３２周辺を含む領域内が暗くなるので、操作性の観点から、第１の側面３４ａ、第２の側面３４ｂおよび上面３４ｃにより囲まれる領域内を照らすガイドライト３６が設けられる。
【００２８】
（背景）
以上、本発明の実施形態による自動取引システムおよび自動取引装置２０の構成を簡単に説明した。本発明の実施形態は、上述した自動取引装置２０に関し、特に、自動取引装置２０によるガイドライト３６の点灯制御に関する。そこで、本実施形態の優位性を明らかにするために、本実施形態の詳細な説明に先立ち、本実施形態の比較例による自動取引装置が行う点灯制御について説明する。
【００２９】
図３は、比較例による第１の点灯制御例を示したフローチャートである。図３に示したように、比較例による自動取引装置、カードが挿入され（Ｓ６０２）、引き出し処理が選択されると（Ｓ６０４）、暗証番号の入力誘導画面を表示し（Ｓ６０６）、ガイドライトを点灯させる（Ｓ６０８）。
【００３０】
その後、顧客による暗証番号の入力が終了すると（Ｓ６１０、Ｓ６１２）、比較例による自動取引装置は、ガイドライトを消灯する（Ｓ６１４）。続いて、比較例による自動取引装置は、金額の入力誘導画面を表示し、ガイドライトを点灯させる（Ｓ６１８）。
【００３１】
そして、顧客による引き出し金額の入力が終了すると（Ｓ６２０、Ｓ６２２）、比較例による自動取引装置は、ガイドライトを消灯し（Ｓ６２４）、金融機関ホスト１０との間で出金取引処理を実行する（Ｓ６２６）。その後、比較例による自動取引装置は、紙幣を排出し、顧客により紙幣が取り出されると（Ｓ６２８）、カードを排出して取引を終了する（Ｓ６３０）。
【００３２】
図４は、比較例による第２の点灯制御例を示したフローチャートである。図４に示したように、比較例による自動取引装置は、カードが挿入されると（Ｓ７０２）、ガイドライトを点灯させる（Ｓ７０４）。そして、顧客により引き出し処理が選択されると（Ｓ７０６）、比較例による自動取引装置は、暗証番号の入力誘導画面を表示する（Ｓ７０８）。
【００３３】
その後、顧客による暗証番号の入力が終了すると（Ｓ７１０、Ｓ７１２）、比較例による自動取引装置は、金額の入力誘導画面を表示する（Ｓ７１４）。そして、顧客による引き出し金額の入力が終了すると（Ｓ７１６、Ｓ７１８）、比較例による自動取引装置は、金融機関ホスト１０との間で出金取引処理を実行する（Ｓ７２０）。
【００３４】
続いて、比較例による自動取引装置は、紙幣を排出し、顧客により紙幣が取り出されると（Ｓ７２２）、ガイドライトを消灯し（Ｓ７２４）、カードを排出して取引を終了する（Ｓ７２６）。
【００３５】
上述したように、比較例による自動取引装置が行う点灯制御としては、暗証番号の入力前後、および取引金額の入力前後にガイドライトを点灯／消灯する第１の点灯制御や、取引開始から終了までガイドライトを点灯したままにする第２の点灯制御などが考えられる。
【００３６】
しかし、キーパッドを設けたことによる内部が暗くなるという弊害を解消するためにガイドライトを点灯させると、自動取引装置を操作する顧客がキーパッドを見やすくなると共に、周辺からもキーパッドの操作内容が見やすくなってしまう。このため、顧客がキーパッドに暗証番号のような認証情報を入力する際に、認証情報が第三者に知られてしまう恐れがあった。
【００３７】
そこで、上記事情を一着眼点にして本実施形態による自動取引装置２０を創作するに至った。本実施形態による自動取引装置２０は、第三者への認証情報の流出を抑制することが可能である。以下、このような本実施形態による自動取引装置２０について詳細に説明する。
【００３８】
＜２．自動取引装置の構成＞
図５は、本実施形態による自動取引装置２０の構成を示した機能ブロック図である。図５に示したように、本実施形態による自動取引装置２０は、操作表示装置２２と、顧客入力装置３０と、制御部２１０と、記憶装置２３０と、レシートプリンタ２４３と、カードリーダ・ライタ２４４と、現金入出金機２４５と、を備える。
【００３９】
操作表示装置２２は、図２を参照して説明したように、顧客による操作の誘導画面を表示する表示部および顧客操作を検出する顧客操作部としての機能を包含する。また、顧客入力装置３０は、図２を参照して説明したように、顧客が暗証番号のような認証情報や取引金額などを入力するための構成であり、キーパッド３２、遮蔽カバー３４、およびガイドライト３６を備える。
【００４０】
レシートプリンタ２４３は、レシートを印刷する印刷装置である。カードリーダ・ライタ２４４は、キャッシュカードの読出し、およびキャッシュカードへの書き込みを行う磁気装置である。現金入出金機２４５は、顧客から挿入された紙幣の格納、および顧客へ受け渡す紙幣の排出などを行う。記憶装置２３０は、自動取引装置２０が動作するためのプログラムや有高情報などを記憶する。
【００４１】
制御部２１０は、自動取引装置２０の動作全般を制御する。この制御部２１０は、顧客入力装置３０のガイドライト３６の点灯を制御する点灯制御部としての機能を含む。以下、このような制御部２１０の構成について図６を参照してより具体的に説明する。
【００４２】
図６は、本実施形態による制御部２１０の機能を示した説明図である。図６に示したように、制御部２１０の機能は、アプリケーションプログラム２１１、顧客入力装置制御プログラム２１２、プリンタ制御プログラム２１３、リーダ・ライタ制御プログラム２１４、入出金機制御プログラム２１５、および表示制御プログラム２１６を含む。
【００４３】
アプリケーションプログラム２１１は、自動取引装置２０が行う入金取引および出金取引等の各種取引を制御するためのプログラムである。なお、このアプリケーションプログラム２１１は例えば金融機関により提供される。
【００４４】
プリンタ制御プログラム２１３は、レシートプリンタ２４３による印刷動作を制御するプログラムである。リーダ・ライタ制御プログラム２１４は、カードリーダ・ライタ２４４による磁気処理を制御するためのプログラムである。入出金機制御プログラム２１５は、現金入出金機２４５による紙幣の搬送や格納などの動作を制御するためのプログラムである。表示制御プログラム２１６は、操作表示装置２２の表示を制御するためのプログラムである。
【００４５】
顧客入力装置制御プログラム２１２は、顧客入力装置３０を制御するためのプログラムである。この顧客入力装置制御プログラム２１２は、顧客入力装置３０のガイドライト３６の点灯および消灯を制御する。なお、顧客入力装置制御プログラム２１２は、アプリケーションプログラム２１１からのガイドライト３６の点灯制御に関する具体的な指示に従ってガイドライト３６を制御してもよい。または、顧客入力装置制御プログラム２１２は、アプリケーションプログラム２１１からの暗証番号入力実行の指示に基づき、ガイドライト３６の点灯制御を主体的に行ってもよい。
【００４６】
また、本実施形態による顧客入力装置制御プログラム２１２は、ガイドライト３６の点灯制御を行い、キーパッド３２への暗証情報の入力操作時と、キーパッド３２への取引金額などの他の情報の入力操作時とで、キーパッド３２の照明状態を変化させる。例えば、顧客入力装置制御プログラム２１２は、キーパッド３２への暗証情報の入力操作時の方が他の情報の入力操作時よりもキーパッド３２が暗くなるように点灯制御を行う。かかる構成により、第三者への暗証番号の流出を抑制することが可能となる。
【００４７】
上記の照明状態の変化は、例えば、キーパッド３２への暗証情報の入力操作時にガイドライト３６を消灯させ、キーパッド３２への取引金額などの他の情報の入力操作時にガイドライト３６を点灯させることにより実現される。
【００４８】
また、上記の照明状態の変化は、キーパッド３２への暗証情報の入力操作時にガイドライト３６を特殊点灯させることによっても実現される。以下、図７〜図９を参照し、特殊点灯の具体例を説明する。
【００４９】
（特殊点灯の具体例）
図７は、特殊点灯の第１の例を示した説明図である。顧客入力装置制御プログラム２１２は、図７に示したように、特殊点灯時には通常点灯時よりも狭角に光が供給されるようにガイドライト３６を点灯させてもよい。かかる構成により、キーパッド３２の外部からの視認性が低下する。
【００５０】
図８は、特殊点灯の第２の例を示した説明図である。図８に示したように、ガイドライト３６が複数の光源要素３６ａ、３６ｂおよび３６ｃからなる場合、顧客入力装置制御プログラム２１２は、通常点灯時には全ての光源要素３６ａ、３６ｂおよび３６ｃを点灯させてもよい。一方、顧客入力装置制御プログラム２１２は、特殊点灯時には一部の光源要素（図８に示した例では光源要素３６ｂ）を点灯させてもよい。かかる構成により、キーパッド３２に供給される光量が減少するので、キーパッド３２の外部からの視認性が低下する。
【００５１】
図９は、特殊点灯の第３の例を示した説明図である。図９に示したように、顧客入力装置制御プログラム２１２は、特殊点灯時には通常点灯時よりも弱い光量でガイドライト３６を点灯させてもよい。かかる構成によっても、キーパッド３２に供給される光量が減少するので、キーパッド３２の外部からの視認性が低下する。
【００５２】
上述したように、いずれの特殊点灯によっても外部からのキーパッド３２の視認性が低下するので、暗証番号の入力時に暗証番号が第三者に流出してしまうことを抑制することが可能となる。
【００５３】
＜３．自動取引装置の動作＞
以上、本実施形態による自動取引装置２０の構成を説明した。続いて、図１０〜図１２を参照し、本実施形態による自動取引装置２０の動作を説明する。
【００５４】
（第１の動作例）
図１０は、本実施形態による自動取引装置２０の第１の動作例を示したフローチャートである。図１０に示したように、まず、カード挿入排出口２４にカードが挿入され（Ｓ２０２）、引き出し処理が選択されると（Ｓ２０４）、制御部２１０が、操作表示装置２２に入力誘導画面を表示させる（Ｓ２０６）。さらに、制御部２１０の顧客入力装置制御プログラム２１２が、ガイドライト３６を特殊点灯させる（Ｓ２０８）。
【００５５】
その後、顧客による暗証番号の入力が終了すると（Ｓ２１０、Ｓ２１２）、制御部２１０の顧客入力装置制御プログラム２１２は、ガイドライト３６を消灯させる（Ｓ２１４）。続いて、制御部２１０が操作表示装置２２に金額の入力誘導画面を表示させ、顧客入力装置制御プログラム２１２がガイドライト３６を通常点灯させる（Ｓ２１６、Ｓ２１８）。
【００５６】
そして、顧客による引き出し金額の入力が終了すると（Ｓ２２０、Ｓ２２２）、顧客入力装置制御プログラム２１２がガイドライト３６を消灯し（Ｓ２２４）、アプリケーションプログラム２１１が金融機関ホスト１０との間で出金取引処理を実行する（Ｓ２２６）。その後、自動取引装置２０は、紙幣を排出し、顧客により紙幣が取り出されると（Ｓ２２８）、カードをカード挿入排出口２４から排出して取引を終了する（Ｓ２３０）。
【００５７】
このように、第１の動作例によれば、暗証番号の入力時にガイドライト３６を特殊点灯させることにより、キーパッド３２を暗くすることが可能である。
【００５８】
（第２の動作例）
続いて、第２の動作例を説明する。第２の動作例では、暗証番号の入力時にガイドライト３６を点灯させないことにより、暗証番号の入力時に外部からのキーパッド３２の視認性を低くすることが可能である。
【００５９】
図１１は、本実施形態による自動取引装置２０の第２の動作例を示したフローチャートである。図１１に示したように、まず、カード挿入排出口２４にカードが挿入され（Ｓ３０２）、引き出し処理が選択されると（Ｓ３０４）、制御部２１０が、操作表示装置２２に入力誘導画面を表示させる（Ｓ３０６）。
【００６０】
その後、顧客による暗証番号の入力が終了すると（Ｓ３０８、Ｓ３１２）、制御部２１０が操作表示装置２２に金額の入力誘導画面を表示させ、顧客入力装置制御プログラム２１２がガイドライト３６を点灯させる（Ｓ３１４、Ｓ３１６）。
【００６１】
そして、顧客による引き出し金額の入力が終了すると（Ｓ３１８、Ｓ３２０）、顧客入力装置制御プログラム２１２がガイドライト３６を消灯し（Ｓ３２２）、アプリケーションプログラム２１１が金融機関ホスト１０との間で出金取引処理を実行する（Ｓ３２４）。その後、自動取引装置２０は、紙幣を排出し、顧客により紙幣が取り出されると（Ｓ３２６）、カードをカード挿入排出口２４から排出して取引を終了する（Ｓ３２８）。
【００６２】
このように、第２の動作例によれば、金額の入力時からガイドライト３６が点灯するので、暗証番号の入力時に外部からのキーパッド３２の視認性を低くすることが可能である。
【００６３】
（第３の動作例）
図１２は、本実施形態による自動取引装置２０の第２の動作例を示したフローチャートである。図１２に示したように、まず、カード挿入排出口２４にカードが挿入され（Ｓ４０２）、顧客入力装置制御プログラム２１２がガイドライト３６を点灯させる（Ｓ４０４）。そして、顧客により引き出し処理が選択されると（Ｓ４０６）、制御部２１０が、操作表示装置２２に入力誘導画面を表示させ（Ｓ４０８）、顧客入力装置制御プログラム２１２がガイドライト３６を消灯させる（Ｓ４１０）。
【００６４】
その後、顧客による暗証番号の入力が終了すると（Ｓ４１２、Ｓ４１４）、制御部２１０が操作表示装置２２に金額の入力誘導画面を表示させ、顧客入力装置制御プログラム２１２がガイドライト３６を点灯させる（Ｓ４１６、Ｓ４１８）。
【００６５】
そして、顧客による引き出し金額の入力が終了すると（Ｓ４２０、Ｓ４２２）、アプリケーションプログラム２１１が金融機関ホスト１０との間で出金取引処理を実行する（Ｓ４２４）。その後、自動取引装置２０は、紙幣を排出し、顧客により紙幣が取り出されると（Ｓ４２６）、顧客入力装置制御プログラム２１２がガイドライト３６を消灯する（Ｓ４２８）。そして、自動取引装置２０は、カードをカード挿入排出口２４から排出して取引を終了する（Ｓ４３０）。
【００６６】
このように、第３の動作例によれば、顧客入力装置制御プログラム２１２が暗証番号の入力時にガイドライト３６を消灯させるので、暗証番号の入力時に外部からのキーパッド３２の視認性を低くすることが可能である。
【００６７】
＜４．むすび＞
以上説明したように、本実施形態による自動取引装置２０は、ガイドライト３６の点灯制御を行い、キーパッド３２への暗証情報の入力操作時と、キーパッド３２への取引金額などの他の情報の入力操作時とで、キーパッド３２の照明状態を変化させる。例えば、本実施形態による自動取引装置２０の顧客入力装置制御プログラム２１２は、キーパッド３２への暗証情報の入力操作時の方が他の情報の入力操作時よりもキーパッド３２が暗くなるように点灯制御を行う。かかる構成により、例えばカメラや望遠鏡などを用いて暗証番号を盗もうとしている第三者に暗証番号が流出することを抑制できる。
【００６８】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６９】
例えば、上記では顧客入力装置制御プログラム２１２がガイドライト３６の点灯制御を行って暗証番号入力時にキーパッド３２を暗くする例を説明したが、本実施形態はかかる例に限定されない。変形例として、暗証番号入力時に遮光性を有するフィルタでガイドライト３６を覆ったり、暗証番号入力時と他の情報の入力時とでガイドライト３６の位置を変化させることによっても暗証番号入力時にキーパッド３２を暗くするが可能である。
【００７０】
また、本明細書の自動取引装置２０の処理における各ステップは、必ずしもフローチャートとして記載された順序に沿って時系列に処理する必要はない。例えば、自動取引装置２０の処理における各ステップは、フローチャートとして記載した順序と異なる順序で処理されても、並列的に処理されてもよい。
【００７１】
また、自動取引装置２０に内蔵されるＣＰＵ、ＲＯＭおよびＲＡＭなどのハードウェアを、上述した自動取引装置２０の各構成と同等の機能を発揮させるためのコンピュータプログラムも作成可能である。
【符号の説明】
【００７２】
１０  金融機関ホスト
１２  専用網
２０  自動取引装置
２２  操作表示装置
２４  カード挿入排出口
２６  紙幣挿入排出口
２８  レシート排出口
３０  顧客入力装置
３２  キーパッド
３４  遮蔽カバー
３６  ガイドライト
２１０  制御部
２１１  アプリケーションプログラム
２１２  顧客入力装置制御プログラム
２１３  プリンタ制御プログラム
２１４  リーダ・ライタ制御プログラム
２１５  入出金機制御プログラム
２１６  表示制御プログラム
２３０  記憶装置
２４３  レシートプリンタ
２４４  カードリーダ・ライタ
２４５  現金入出金機
【図１】
0005556835.tif 000002
【図２】
0005556835.tif 000003
【図３】
0005556835.tif 000004
【図４】
0005556835.tif 000005
【図５】
0005556835.tif 000006
【図６】
0005556835.tif 000007
【図７】
0005556835.tif 000008
【図８】
0005556835.tif 000009
【図９】
0005556835.tif 000010
【図１０】
0005556835.tif 000011
【図１１】
0005556835.tif 000012
【図１２】
0005556835.tif 000013